(57)【特許請求の範囲】
【請求項１】
複数の画像を台紙上に配置して表示する画像処理装置であって、
前記複数の画像のうちいずれかを選択する選択手段と、
前記選択手段で選択された画像を加工する指示を受信する第１の受信手段と、
前記第１の受信手段で前記指示が受信されたとき、所定ディレクトリに、前記選択手段で選択された画像のコピーを前記画像と関連付けて格納する格納手段と、
前記第１の受信手段で受信した指示に基づき、前記画像を加工する加工手段と、
前記加工手段で加工された画像を加工前の画像に復元する指示を受信する第２の受信手段と、
前記第２の受信手段で受信した指示に基づき、前記所定ディレクトリに格納された前記画像のコピーを用いて、加工された画像を加工前の画像に復元する復元手段と、
前記復元手段による復元が終了したとき、前記復元の際に用いられた前記画像のコピーを前記所定ディレクトリから削除する削除手段と
を備えることを特徴とする画像処理装置。
【請求項２】
前記所定ディレクトリを作成するディレクトリ作成手段を更に備え、
前記ディレクトリ作成手段は、前記第１の受信手段で前記指示が受信されたとき、前記所定ディレクトリを作成する
ことを特徴とする請求項１に記載の画像処理装置。
【請求項３】
前記加工手段により加工された画像をコピーして第１のコピー画像を生成した場合に、前記加工された画像に関連付けられた第２のコピー画像が前記所定ディレクトリに格納されているか否かを判定する判定手段を更に備え、
前記格納手段は、前記判定手段の判定結果に基づいて、前記所定ディレクトリに格納されている第２のコピー画像をコピーし、前記第１のコピー画像と関連付けて所定ディレクトリに格納する
ことを特徴とする請求項１または２に記載の画像処理装置。
【請求項４】
画像を表示部に表示する第１の表示手段と、
画像に加工を施すよう指示するためのボタンを表示部に表示する第２の表示手段とを更に備え、
前記第１の表示手段は、前記所定ディレクトリに格納された画像のコピーの表示を禁止する
ことを特徴とする請求項１から３のいずれか１項に記載の画像処理装置。
【請求項５】
前記復元手段は、前記第２の受信手段で第１のコピー画像を復元する指示を受信した場合、前記第１のコピー画像と関連付けられた画像を用いて、前記第１のコピー画像を復元する
ことを特徴とする請求項３に記載の画像処理装置。
【請求項６】
複数の画像を台紙上に配置して表示する画像処理方法であって、
前記複数の画像のうちいずれかを選択する選択工程と、
前記選択工程で選択された画像を加工する指示を受信する第１の受信工程と、
前記第１の受信工程で前記指示が受信されたとき、所定ディレクトリに、前記選択工程で選択された画像のコピーを前記画像と関連付けて格納する格納工程と、
前記第１の受信手段で受信した指示に基づき、前記画像を加工する加工手段と、
前記加工手段で加工された画像を加工前の画像に復元する指示を受信する第２の受信手段と、
前記第２の受信工程で受信した指示に基づき、前記所定ディレクトリに格納された前記画像のコピーを用いて、加工された画像を加工前の画像に復元する復元工程と、
前記復元工程による復元が終了したとき、前記復元の際に用いられた前記画像のコピーを前記所定ディレクトリから削除する削除工程と
を備えることを特徴とする画像処理方法。
【請求項７】
コンピュータに、
前記複数の画像のうちいずれかを選択する選択工程と、
前記選択工程で選択された画像を加工する指示を受信する第１の受信工程と、
前記第１の受信工程で前記指示が受信されたとき、所定ディレクトリに、前記選択工程で選択された画像のコピーを前記画像と関連付けて格納する格納工程と、
前記第１の受信手段で受信した指示に基づき、前記画像を加工する加工手段と、
前記加工手段で加工された画像を加工前の画像に復元する指示を受信する第２の受信手段と、
前記第２の受信工程で受信した指示に基づき、前記所定ディレクトリに格納された前記画像のコピーを用いて、加工された画像を加工前の画像に復元する復元工程と、
前記復元工程による復元が終了したとき、前記復元の際に用いられた前記画像のコピーを前記所定ディレクトリから削除する削除工程と
を実行させるプログラムを記録したことを特徴とするコンピュータ可読の記録媒体。
【発明の詳細な説明】
【０００１】
【発明の属する技術分野】
本発明は、画像の加工、復元を行う画像処理装置、方法、記録媒体に関するものである。
【０００２】
【従来の技術】
従来、デジタル写真等のデジタル画像を管理するデジタルアルバムを有する画像処理装置において、デジタル画像の加工直後に加工前のオリジナル画像に戻すことは可能であった。
【０００３】
【発明が解決しようとする課題】
しかしながら、従来のデジタルアルバムを有する画像処理装置においては、加工したデジタル画像をコピーし、コピー後のデジタル画像を加工前のオリジナルのデジタル画像に復元することは不可能であり、不便であった。
【０００４】
【発明が解決しようとする課題】
本発明は上記の問題点に鑑みてなされたものであり、加工、復元の操作効率を向上することができる画像処理装置、方法、記録媒体を提供することを目的とする。
【０００５】
【課題を解決するための手段】
上記の目的を達成するための本発明による画像処理装置は以下の構成を備える。即ち、
複数の画像を台紙上に配置して表示する画像処理装置であって、
前記複数の画像のうちいずれかを選択する選択手段と、
前記選択手段で選択された画像を加工する指示を受信する第１の受信手段と、
前記第１の受信手段で前記指示が受信されたとき、所定ディレクトリに、前記選択手段で選択された画像のコピーを前記画像と関連付けて格納する格納手段と、
前記第１の受信手段で受信した指示に基づき、前記画像を加工する加工手段と、
前記加工手段で加工された画像を加工前の画像に復元する指示を受信する第２の受信手段と、
前記第２の受信手段で受信した指示に基づき、前記所定ディレクトリに格納された前記画像のコピーを用いて、加工された画像を加工前の画像に復元する復元手段と、
前記復元手段による復元が終了したとき、前記復元の際に用いられた前記画像のコピーを前記所定ディレクトリから削除する削除手段と
を備える。
【０００６】
また、好ましくは、前記格納手段は、前記第１の受信手段で画像を加工する指示が受信されたと判断した場合に、前記画像のコピーを所定ディレクトリに格納する。
【０００７】
また、好ましくは、前記所定ディレクトリを作成するディレクトリ作成手段を更に備え、
前記ディレクトリ作成手段は、前記第１の受信手段で画像を加工する指示が受信されたと判断した場合に、前記所定ディレクトリを作成する。
【０００８】
また、好ましくは、前記加工手段により加工された画像をコピーして第１のコピー画像を生成した場合に、前記加工された画像に関連付けられた第２のコピー画像が前記所定ディレクトリに格納されているか否かを判定する判定手段を更に備え、
前記格納手段は、前記判定手段の判定結果に基づいて、前記所定ディレクトリに格納されている第２のコピー画像をコピーし、前記第１のコピー画像と関連付けて所定ディレクトリに格納する。
【０００９】
また、好ましくは、前記復元手段により復元を行った後に、復元の際に用いられた前記画像のコピーを所定ディレクトリから消去する消去手段を更に備える。
【００１０】
また、好ましくは、画像を表示部に表示する第１の表示手段と、
画像に加工を施すよう指示するためのボタンを表示部に表示する第２の表示手段とを更に備え、
前記第１の表示手段は、前記所定ディレクトリに格納された画像の表示を禁止する。
また、好ましくは、前記復元手段は、前記第２の受信手段で第１のコピー画像を復元する指示を受信した場合、前記第１のコピー画像と関連付けられた画像を用いて、前記第１コピー画像を復元する。
【００１１】
上記の目的を達成するための本発明による画像処理方法は以下の構成を備える。即ち、  複数の画像を台紙上に配置して表示する画像処理方法であって、
前記複数の画像のうちいずれかを選択する選択工程と、
前記選択工程で選択された画像を加工する指示を受信する第１の受信工程と、
前記第１の受信工程で前記指示が受信されたとき、所定ディレクトリに、前記選択工程で選択された画像のコピーを前記画像と関連付けて格納する格納工程と、
前記第１の受信手段で受信した指示に基づき、前記画像を加工する加工手段と、
前記加工手段で加工された画像を加工前の画像に復元する指示を受信する第２の受信手段と、
前記第２の受信工程で受信した指示に基づき、前記所定ディレクトリに格納された前記画像のコピーを用いて、加工された画像を加工前の画像に復元する復元工程と、
前記復元工程による復元が終了したとき、前記復元の際に用いられた前記画像のコピーを前記所定ディレクトリから削除する削除工程と
を備える。
【００１２】
上記の目的を達成するための本発明による記録媒体は以下の構成を備える。即ち、
コンピュータに、
前記複数の画像のうちいずれかを選択する選択工程と、
前記選択工程で選択された画像を加工する指示を受信する第１の受信工程と、
前記第１の受信工程で前記指示が受信されたとき、所定ディレクトリに、前記選択工程で選択された画像のコピーを前記画像と関連付けて格納する格納工程と、
前記第１の受信手段で受信した指示に基づき、前記画像を加工する加工手段と、
前記加工手段で加工された画像を加工前の画像に復元する指示を受信する第２の受信手段と、
前記第２の受信工程で受信した指示に基づき、前記所定ディレクトリに格納された前記画像のコピーを用いて、加工された画像を加工前の画像に復元する復元工程と、
前記復元工程による復元が終了したとき、前記復元の際に用いられた前記画像のコピーを前記所定ディレクトリから削除する削除工程と
を実行させるプログラムを記録したことを特徴とする。
【００１３】
【発明の実施の形態】
以下、図面を参照して本発明の好適な実施形態を詳細に説明する。
【００１４】
図１は本発明の実施形態の画像処理装置の概略構成を示すブロック図である。
図１において、１は中央演算処理部（ＣＰＵ）であり、２のＲＡＭにロードされた制御プログラムにしたがって各種制御を実行する。２は読み書き可能なメモリ（ＲＡＭ）であり、ＣＰＵ１による制御処理の実行時にワークエリアとして使用され、各種データを一時的に保存している。このＲＡＭ２には、例えば、デジタルアルバムのプログラム、または、ワイヤレスリモコン４のページめくりの情報などが記憶される。
【００１５】
３はワイヤレスリモコンＩ／Ｆであり、ワイヤレスリモコン４からのデータ入力等を制御している。５は表示コントローラ（ＴＶＣ）であり、ＴＶ６の画像表示や、カーソル表示等を制御している。また、ＴＶ６のかわりに、ＬＣＤ等のモニタを用いても構わない。８は大容量ＦＤ（可動式外部記憶装置）であり、例えば、ＬＳ−１２０の３．５インチＦＤであるとかＺＩＰなどである。この大容量ＦＤ８は、ＦＤコントローラ（ＦＤＣ）７を介してＣＰＵ１の指令によりアルバムファイル情報、画像データ情報等を記憶、保存するとともに、あらかじめ大容量ＦＤ８に記憶されているプログラム等をＲＡＭ２上にロードする。１０はプリンタであり、プリンタＩ／Ｆ９を介して、ＴＶ６に表示される内容等の情報をプリントアウトする。１１は、各種構成要素を相互に接続するシステムバスである。
【００１６】
尚、図１０、図１１のフローチャートで示された表示制御を実行するプログラムは、あらかじめ大容量ＦＤ８に記憶されている。そして、そのプログラムをＲＡＭ２上にロードし、ＣＰＵ１がシステムバス１１を通じて逐次そのプログラムを実行することにより、本実施形態の画像処理装置は動作する。また、プログラムは、別途ＲＯＭ等の記憶媒体に記憶された構成であっても良い。
【００１７】
次に、本実施形態におけるデジタルアルバムの基本画面について、図２を用いて説明する。
【００１８】
図２は本発明の実施形態のデジタルアルバムの基本画面を示す図である。
【００１９】
図２において、１００はデジタルアルバムの台紙であり、その中にデジタル写真１０１やデジタル写真１０２が貼りついている。下部に存在するボタン群は機能ボタンであり、１０３は現在のページから前のページへ切り替える前ページ切替ボタンであり、１０４は現在のページから後のページへ切り替える後ページ切替ボタンである。また、１０５は表示されているデジタル写真に対し加工を行う場合に、その加工を行うための機能一覧（詳細は後述）の表示を指示するための加工ボタンである。そして、デジタル写真を含めて、いずれかがカレントの状態になっている。
【００２０】
次に、デジタルアルバムを操作するためのワイヤレスリモコン４の構成について、図３を用いて説明する。
【００２１】
図３は本発明の実施形態のデジタルアルバムを操作するためのワイヤレスリモコンを示す図である。
【００２２】
図３において、２００はワイヤレスリモコン４の電源ボタンであり、これを押下することによりワイヤレスリモコン４の電源のＯＮ／ＯＦＦを行う。２０１はカレント移動ボタンであり、表示されているデジタルアルバム上のデジタル写真やボタン等のオブジェクトをカレントにするための操作に用いる。２０２、２０３は、それぞれ図３の前ページ切替ボタン１０３、後ページ切替ボタン１０４に対応するページ切替ボタンである。２０４は実行ボタンであり、処理の実行を指示するボタンである。２０５は戻るボタンであり、現在実行した処理を直前の状態に復帰させるボタンである。２０６は機能ボタンであり、カレントに対する処理の機能一覧の表示を指示するボタンである。
【００２３】
操作例としては、表示されているデジタルアルバム上のデジタル写真やボタン等のオブジェクトの何かにカレントを移して、実行ボタン２０４を押下することにより機能が実行される。例えば、図４に示すデジタル写真１０１をカレントにして、機能ボタン２０６を押下すると、機能一覧３００が表示される。この場合、機能一覧３００の中から“コピー”、“加工”、“元の画像に戻す”を選択することが可能となる。
【００２４】
次に、大容量ＦＤ８で管理されるファイル構成を、図５〜図９に示しながら、本実施形態で実行される処理について、図１０、図１１を用いて説明する。
【００２５】
まず、加工した画像を加工前の画像に復元する処理について、図１０を用いて説明する。
【００２６】
図１０は本発明の実施形態の加工した画像を加工前のオリジナル画像に復元する処理を示すフローチャートである。
【００２７】
尚、ここでの処理は、カレントとなっている画像に対し、機能一覧３００の中から“元の画像に戻す”が選択された場合に実行される。また、現在、Ａｌｂｕｍ＿１という名のデジタルアルバムが表示されているとする。更に、Ａｌｂｕｍ＿１等のデジタルアルバムは、図５に示すような階層構造で管理され、例えば、ルートディレクトリ／ｄ０の下に、デジタルアルバムとして複数の画像を格納するディレクトリＡｌｂｕｍ＿１、ディレクトリＡｌｂｕｍ＿２が存在する。そして、ディレクトリＡｌｂｕｍ＿１の下には、ファイル名ａａａ．ｊｐｇ、ｂｂｂ．ｊｐｇ、ｃｃｃ．ｊｐｇの画像が格納され、ディレクトリＡｌｂｕｍ＿２の下には、ファイル名ｄｄｄ．ｊｐｇ、ｅｅｅ．ｊｐｇが格納されている。
【００２８】
ます、ステップＡ１で、機能一覧３００内の“加工”が選択されたか否かを判定する。ここでは、ファイル名ａａａ．ｊｐｇの画像が加工対象になったとする。“加工”が選択されない場合（ステップＡ１でＮＯ）、選択されるまで待機する。一方、“加工”が選択された場合（ステップＡ１でＹＥＳ）、図５のＡｌｂｕｍ＿１の中にＯＲＩＧＩＮＡＬディレクトリが存在するか否かを判定する。存在する場合（ステップＡ２でＹＥＳ）、ステップＡ４に進む。一方、存在しない場合（ステップＡ２でＮＯ）、ステップＡ３に進み、ＯＲＩＧＩＮＡＬディレクトリを作成する。この場合、図６に示すような構成でＡｌｂｕｍ＿１の下にＯＲＩＧＩＮＡＬディレクトリが作成される。この時のＯＲＩＧＩＮＡＬディレクトリの位置を示すパス表記は、／ｄ０／Ａｌｂｕｍ＿１／ＯＲＩＧＩＮＡＬとなる。
【００２９】
次に、ステップＡ４で、ＯＲＩＧＩＮＡＬディレクトリの下にオリジナル画像をコピーする。この場合、ファイル名ａａａ．ｊｐｇの画像をコピーし、図７に示すような構成でＯＲＩＧＩＮＡＬディレクトリの中にファイル名ａａａ．ｊｐｇの画像がコピーされる。この時のパス表記は、／ｄ０／Ａｌｂｕｍ＿１／ＯＲＩＧＩＮＡＬ／ａａａ．ｊｐｇとなる。また、このＯＲＩＧＩＮＡＬディレクトリ中にコピーされた画像は、加工されることはないオリジナルの画像として管理され、指示がない限り画面上には表示されない。
【００３０】
次に、ステップＡ５で、ファイル名ａａａ．ｊｐｇの画像（／ｄ０／Ａｌｂｕｍ＿１／ａａａ．ｊｐｇ）に対し加工を行う。この場合、Ａｌｂｕｍ＿１の下にあるファイル名ａａａ．ｊｐｇの画像に対して加工を行う。次に、ステップＡ６で加工されたファイル名ａａａ．ｊｐｇの画像を加工前のオリジナルの画像に戻すために、機能一覧３００内の“元の画像に戻す”が選択されたか否かを判定する。“元の画像に戻す”が選択されない場合（ステップＡ６でＮＯ）、処理を終了する。一方、“元の画像に戻す”が選択された場合（ステップＡ６でＹＥＳ）、ステップＡ７に進み、“元の画像に戻す”機能を実行する。具体的には、図８に示すように、ＯＲＩＧＩＮＡＬディレクトリの中にファイル名ａａａ．ｊｐｇの画像（／ｄ０／Ａｌｂｕｍ＿１／ＯＲＩＧＩＮＡＬ／ａａａ．ｊｐｇ）を、Ａｌｂｕｍ＿１の下にあるファイル名ａａａ．ｊｐｇの画像（／ｄ０／Ａｌｂｕｍ＿１／ａａａ．ｊｐｇ）にコピー（上書き）する。その後、ＯＲＩＧＩＮＡＬディレクトリの中にファイル名ａａａ．ｊｐｇの画像（／ｄ０／Ａｌｂｕｍ＿１／ＯＲＩＧＩＮＡＬ／ａａａ．ｊｐｇ）を削除する。そして、デジタルアルバムの表示を更新することにより、加工前のファイル名ａａａ．ｊｐｇのオリジナル画像を表示することが可能となる。
【００３１】
次に、加工された画像をコピーしてコピー後の画像をオリジナル画像に復元する処理について、図１１を用いて説明する。
【００３２】
図１１は本発明の実施形態の加工された画像をコピーしてコピー後の画像をオリジナル画像に復元する処理を示すフローチャートである。
【００３３】
まず、ステップＢ１で、加工されている画像をコピーし、新しいファイル名をつける。ここでは、図７に示すＡｌｂｕｍ＿１の下にあるファイル名ａａａ．ｊｐｇの画像（／ｄ０／Ａｌｂｕｍ＿１／ａａａ．ｊｐｇ）が加工されているとする。そして、この画像をコピーすると、図９に示すようにＡｌｂｕｍ＿１の下に新しいファイル名ｄｄｄ．ｊｐｇの画像（／ｄ０／Ａｌｂｕｍ＿１／ＯＲＩＧＩＮＡＬ／ｄｄｄ．ｊｐｇ）が生成される。
【００３４】
次に、ステップＢ２で、コピー元のファイル名と同じファイル名（この場合、ａａａ．ｊｐｇ）の画像がＯＲＩＧＩＮＡＬディレクトリに存在するか否かを判定する。尚、この場合、加工されている画像が選択されていたならＯＲＩＧＩＮＡＬディレクトリに同名のファイル名の画像が存在する。
【００３５】
判定の結果、同じファイル名が存在しない場合（ステップＢ２でＮＯ）、処理を終了する。一方、同じファイル名が存在する場合（ステップＢ２でＹＥＳ）、ステップＢ３に進み、ＯＲＩＧＩＮＡＬディレクトリの下のファイル名ａａａ．ｊｐｇの画像もコピーする。具体的には、図９に示すように、ＯＲＩＧＩＮＡＬディレクトリの中にファイル名ａａａ．ｊｐｇの画像（／ｄ０／Ａｌｂｕｍ＿１／ＯＲＩＧＩＮＡＬ／ａａａ．ｊｐｇ）を、ＯＲＩＧＩＮＡＬディレクトリの下にファイル名ｄｄｄ．ｊｐｇの画像（／ｄ０／Ａｌｂｕｍ＿１／ＯＲＩＧＩＮＡＬ／ｄｄｄ．ｊｐｇ）としてコピーする。この結果、デジタルアルバム上には、Ａｌｂｕｍ＿１の下にあるファイル名ａａａ．ｊｐｇ（／ｄ０／Ａｌｂｕｍ＿１／ａａａ．ｊｐｇ）、ｂｂｂ．ｊｐｇ（／ｄ０／Ａｌｂｕｍ＿１／ｂｂｂ．ｊｐｇ）、ｃｃｃ．ｊｐｇ（／ｄ０／Ａｌｂｕｍ＿１／ｃｃｃ．ｊｐｇ）、ｄｄｄ．ｊｐｇ（／ｄ０／Ａｌｂｕｍ＿１／ｄｄｄ．ｊｐｇ）の画像が表示される。
【００３６】
次に、ステップＢ４にて、加工されている画像のコピー画像（ファイル名ｄｄｄ．ｊｐｇの画像）をカレントにして、機能一覧３００内の“元の画像に戻す”が選択されたか否かを判定する。“元の画像に戻す”が選択されない場合（ステップＢ４でＮＯ）、処理を終了する。一方、“元の画像に戻す”が選択された場合（ステップＢ４でＹＥＳ）、ステップＢ５に進み、“元の画像に戻す”機能を実行する。具体的には、図９に示すように、ＯＲＩＧＩＮＡＬディレクトリの中にファイル名ｄｄｄ．ｊｐｇの画像（／ｄ０／Ａｌｂｕｍ＿１／ＯＲＩＧＩＮＡＬ／ｄｄｄ．ｊｐｇ）を、Ａｌｂｕｍ＿１の下にあるファイル名ｄｄｄ．ｊｐｇの画像（／ｄ０／Ａｌｂｕｍ＿１／ｄｄｄ．ｊｐｇ）にコピー（上書き）する。その後、ＯＲＩＧＩＮＡＬディレクトリの中にファイル名ｄｄｄ．ｊｐｇの画像（／ｄ０／Ａｌｂｕｍ＿１／ＯＲＩＧＩＮＡＬ／ｄｄｄ．ｊｐｇ）を削除する。そして、デジタルアルバムの表示を更新することにより、加工されている画像をコピーしたファイル名ｄｄｄ．ｊｐｇのオリジナル画像を表示することが可能となる。
【００３７】
以上説明したように、本実施形態によれば、加工を施した画像をコピーした画像であっても、そのコピー元の画像の加工前のオリジナル画像もコピーしておくことにより、加工された画像をコピーした画像をそのコピー元の画像の加工前のオリジナル画像に復元することが可能となる。
【００３８】
尚、本発明は、複数の機器（例えばホストコンピュータ、インタフェース機器、リーダ、プリンタなど）から構成されるシステムに適用しても、一つの機器からなる装置（例えば、複写機、ファクシミリ装置など）に適用してもよい。
【００３９】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【００４０】
この場合、記憶媒体から読出されたプログラムコード自体が前述した実施形態の機能を実現することになり、そのプログラムコードを記憶した記憶媒体は本発明を構成することになる。
【００４１】
プログラムコードを供給するための記憶媒体としては、例えば、フロッピディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００４２】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００４３】
更に、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００４４】
【発明の効果】
以上説明したように本発明によれば、操作効率を向上することができる画像処理装置、方法、記録媒体を提供できる。
【００４５】
【図面の簡単な説明】
【図１】本発明の実施形態の画像処理装置の概略構成を示すブロック図である。
【図２】本発明の実施形態のデジタルアルバムの基本画面を示す図である。
【図３】本発明の実施形態のデジタルアルバムを操作するためのワイヤレスリモコンを示す図である。
【図４】本発明の実施形態のデジタル画像に対する機能一覧を示す図である。
【図５】本発明の実施形態のデジタルアルバムのファイル構成を示す図である。
【図６】本発明の実施形態のデジタル画像を加工した時のＯＲＩＧＩＮＡＬディレクトリが作成された時のファイル構成を示す図である。
【図７】本発明の実施形態の加工した時のオリジナル画像をコピーした時のファイル構成を示す図である。
【図８】本発明の実施形態の加工した画像を元に戻す時のデジタルアルバムのファイル構成を示す図である。
【図９】本発明の実施形態の加工した画像をコピーした時のデジタルアルバムのファイル構成を示す図である。
【図１０】本発明の実施形態の加工した画像を加工前のオリジナル画像に復元する処理を示すフローチャートである。
【図１１】本発明の実施形態の加工された画像をコピーしてコピー後の画像をオリジナル画像に復元する処理を示すフローチャートである。
【符号の説明】
１  ＣＰＵ
２  ＲＡＭ
３  リモコンＩ／Ｆ
４  リモコン
５  ＴＶコントローラ
６  ＴＶ
７  ＦＤコントローラ
８  大容量ＦＤ
９  プリンタＩ／Ｆ
１０  プリンタ
１１  システムバス
【図１】
0004261649.tif 000002
【図２】
0004261649.tif 000003
【図３】
0004261649.tif 000004
【図４】
0004261649.tif 000005
【図５】
0004261649.tif 000006
【図６】
0004261649.tif 000007
【図７】
0004261649.tif 000008
【図８】
0004261649.tif 000009
【図９】
0004261649.tif 000010
【図１０】
0004261649.tif 000011
【図１１】
0004261649.tif 000012